(57)【要約】【課題】充電端子の取付け位置を安定させ、被充電機器の挿入を確実にする充電台を提供する。【解決手段】被充電機器１を挿入する凹部１２を有するトップカバー１１と、このトップカバー１１を支えるボトムカバー１４とよりなり、このボトムカバー１４内に設けた回路基板１５に充電端子１６の端部を接続し、弾性を有する長尺材を曲折して形成した充電端子１６の接点部１７を前記凹部１２内に突出させた充電台３において、充電端子１６の動作支点を接点部１７より被充電機器１の挿入方向における挿入側に位置するように取り付けた。充電端子１６を金属細線で形成し、前記充電端子１６の接点部１７より被充電機器１の挿入方向における挿入側に位置する固定部２２をトップカバーに設け、その固定部２２に固定した前記充電端子１６の支持部２０を動作支点とした。【選択図】        図２
2006107931.tif 000002
【特許請求の範囲】
【請求項１】
被充電機器を挿入する凹部を有するトップカバーと、このトップカバーを支えるボトムカバーとよりなり、このボトムカバー内に設けた回路基板に充電端子の端部を接続し、弾性を有する長尺材を曲折して形成した充電端子の接点部を前記凹部内に突出させた充電台において、
充電端子の動作支点を接点部より被充電機器の挿入方向における挿入側に位置するように取り付けたを特徴とする充電台。
【請求項２】
請求項１の充電台において、
前記充電端子の長尺材を金属細線で形成し、前記充電端子の接点部より被充電機器の挿入方向における挿入側に位置する固定部をトップカバーに設け、その固定部に固定した前記充電端子の支持部を動作支点とすることを特徴とする充電台。
【請求項３】
請求項１の充電台において、
前記充電端子の長尺材を板金で形成し、前記充電端子の接点部より被充電機器の挿入方向における挿入側に位置する固定部をトップカバーに設け、その固定部に固定した前記充電端子の支持部を動作支点とすることを特徴とする充電台。
【請求項４】
請求項１の充電台において、
前記充電端子の長尺材を板金で形成し、前記充電端子の接点部より被充電機器の挿入方向における挿入側に位置するガイドリブをトップカバーに設け、そのガイドリブで支持される前記充電端子のガイドリブ接点部を動作支点することを特徴とする充電台。
【請求項５】
請求項２または請求項３の充電台において、
前記充電端子を、被充電機器の充電板の挿入角度に合わせるように支持した固定部により固定したことを特徴とする充電台。
【発明の詳細な説明】
【技術分野】
【０００１】
本発明は、通信機器や携帯型端末等の充電を必要とする装置の充電台に関し、特に、充電端子の取り付け構造に関する。
【背景技術】
【０００２】
従来の充電台は、通信機器や携帯型端末等の被充電機器に搭載されている２次電池等を充電するときに被充電機器の本体を後方に傾斜させて、その一部を挿入して充電するものがある（例えば、特許文献１参照）。
また、従来の充電台および充電端子の取り付け構造について説明する。図１０は従来の充電台を示す平面図、図１１は従来の充電台を示す図１０のＡ−Ａ線要部断面図を含む正面図、図１２は従来の充電台を示す図１１のＢ−Ｂ線断面図である。
【０００３】
図１０、図１１および図１２において、１３０は従来の充電台を示すものである。従来の充電台１３０は、トップカバー１３１、ボトムカバー１３２、回路基板１３３、充電端子１３４等から構成されている。このトップカバー１３１には、被充電機器１３９の下側が収納できる凹部が形成されている。
充電端子１３４は、被充電機器本体の充電板１４０と接触するＬ字状に折り曲げられた接点部１３６、コイル状に巻かれたコイル部１３７、一端がＬ字状に折り曲げられた半田付け部１３５が形成されている。この半田付け部１３５で充電端子１３４は回路基板１３３に半田付けされ固定されている。この回路基板１３３はボトムカバー１３２に図示しない螺子止め等で固定されている。
【０００４】
接点部１３６がトップカバー１３１に設けられた開口部１３８から突出するようにトップカバー１３１とボトムカバー１３２は図示しない螺子止め等で固定されている。
コイル部１３７は回路基板１３３に対してコイル軸が水平になるように形成されているが、被充電機器本体１３９を鉛直軸に対して後方に傾斜して挿入するため接点部１３６はその傾斜に合うように後方に傾斜して形成されている。
【特許文献１】特開平０９−２４５８４４号公報（段落「０００６」〜段落「００１４」、図１）
【発明の開示】
【発明が解決しようとする課題】
【０００５】
しかしながら、上述した従来の技術においては、長尺材である金属細線を曲折して形成した充電端子を回路基板に半田付けして固定するとき、半田付けする位置が不安定であるため充電端子を取付ける位置にばらつきが発生してしまうという問題がある。
また、被充電機器を充電台に挿入および抜き取る方向は鉛直軸に対して後方に傾斜させているため、充電端子の接点部の中心軸も鉛直軸に対して後方に傾斜させる必要があるため複雑な形状になるという問題がある。
【０００６】
さらに、充電端子は前述したとおり傾斜させる必要があり、その傾斜角度および半田付け部からの長さに対し厳格な寸法公差が要求されるが、製造技術面で寸法精度の出しにくいコイル部があるため不良品率が高くなるという問題がある。
またさらに、充電端子の接点部は、充電端子の形状不良や回路基板との取り付けによるばらつき等により、被充電機器の本体をトップカバーの凹部に挿入するときに凹部の中央に向け移動してしまい挿入不良を発生させてしまうことや被充電機器の本体と共に挿入方向に移動して座屈してしまうという問題がある。
【０００７】
さらに、被充電機器の本体はトップカバーの凹部に挿入および抜き取りされるが、充電端子を固定した回路基板はボトムカバーに固定されているため、トップカバーとボトムカバーの組み立てによるばらつきが充電端子の接点部の位置のばらつきに直接影響してしまうという問題がある。
本発明は、このような問題を解決することを課題とする。
【課題を解決するための手段】
【０００８】
そのため、本発明は、被充電機器を挿入する凹部を有するトップカバーと、このトップカバーを支えるボトムカバーとよりなり、このボトムカバー内に設けた回路基板に充電端子の端部を接続し、弾性を有する長尺材を曲折して形成した充電端子の接点部を前記凹部内に突出させた充電台において、充電端子の動作支点を接点部より被充電機器の挿入方向における挿入側に位置するように取り付けたことを特徴とする。
【０００９】
また、充電端子の長尺材を金属細線で形成し、前記充電端子の接点部より被充電機器の挿入方向における挿入側に位置する固定部をトップカバーに設け、その固定部に固定した前記充電端子の支持部を動作支点とすることを特徴とする。
さらに、充電端子を、被充電機器の充電板の挿入角度に合わせるように支持した固定部により固定したことを特徴とする。
【発明の効果】
【００１０】
このようにした本発明は、充電端子の取付け位置が安定し取付け位置にばらつきが発生しにくいという効果が得られる。
また、充電端子の接点部の上下方向の中心軸は鉛直軸に対して後方に傾斜させる製造技術上の角度の管理が不要になる。したがって、充電端子の不良品率が低くなるという効果が得られる。
【００１１】
さらに、充電端子の接点部は、被充電機器本体をトップカバーの凹部に挿入するときに凹部の中央に向け移動して挿入不良を発生させてしまうことや、被充電機器本体と共に挿入方向に移動して座屈することがなくなるという効果が得られる。
またさらに、トップカバーとボトムカバーの組み立てばらつきが充電端子の接点部の位置のばらつきに直接影響しないという効果が得られる。
【発明を実施するための最良の形態】
【００１２】
以下、図面を参照して本発明による充電台の実施例を説明する。
【実施例】
【００１３】
図１は第１の実施例を示す平面図、図２は第１の実施例を示す図１のＡ−Ａ線要部断面図を含む正面図、図３は第１の実施例を示す図２のＢ−Ｂ線断面図である。
１は被充電機器であり、２次電池を搭載した通信機器や携帯型端末等である。なお、この被充電機器１は２次電池を搭載するものであれば携帯電話機に限らず、ＰＨＳ（Ｐｅｒｓｏｎａｌ  Ｈａｎｄｙｐｈｏｎｅ  Ｓｙｓｔｅｍ）電話機、コードレス電話の子機等であってもよい。
【００１４】
２は充電板であり、被充電機器１の両側面に配置され、被充電機器１に搭載されている２次電池と電気的に接続されている良導電性の金属板等で露出するように構成されているものである。なお、この充電板２は必ずしも側面に配置されるものでない。
３は充電台であり、被充電機器１の２次電池を充電するときに台座となるものである。この充電台３は上部より挿入した被充電機器１を載置し、充電板２と充電台３に備えた充電のための端子を接触させ、その状態を保持して充電するものである。
【００１５】
１１はトップカバーであり、充電台３の筐体の一部として側壁を有し、略矩形状の絶縁性樹脂等で形成されているものである。上方には開口した略矩形状の凹部１２が形成されている。この凹部１２は被充電機器１の一部である充電板２が形成されている側が挿入できる大きさであり、さらに挿入後に被充電機器１を大きくがたつくことなしに保持できる程度の大きさであって、鉛直軸に対して後方に傾斜して形成されている。
【００１６】
１４はボトムカバーであり、絶縁性樹脂等で充電台１の筐体の一部である底面を形成しているものである。このボトムカバー１４はトップカバー１１と組み合わせて図示しない螺子等で固定されている。また、ボトムカバー１４には図示しないコネクタ部が形成され、電源に接続されたＡＣアダプタ等から延びたコネクタと接続されている。なお、トップカバー１１およびボトムカバー１４は、例えば、ＡＢＳ（アクリロニトリル・ブタジエン・スチレン）樹脂等により形成されているがそれに限るものでない。
【００１７】
１５は回路基板であり、各種電源から供給された電力を被充電機器１の２次電池に充電するための回路素子等で構成されているものである。この回路基板１５は図示しない螺子等でボトムカバー１４に固定され、充電台３の内部に収納保持される。また、回路基板１５は上述したコネクタ部と電気的に接続されており、供給された電力を後述する充電端子を介して凹部１２に挿入された被充電機器１の２次電池に供給し充電する。
【００１８】
２２は固定部であり、下部に螺子孔を形成したボスがトップカバー１１と一体に形成されているものである。この固定部２２は、被充電機器１を凹部１２に挿入する軸と平行する中心軸を有し、この挿入する軸と平行する軸上であって後述する充電端子の接点部と挿入する被充電機器１の充電板２との間に形成されている。
また、固定部２２の中心軸が被充電機器１の充電板２の挿入および抜き取りする角度に合わせて鉛直軸に対して傾斜するように形成され、後述する充電端子を螺子等で固定するためにトップカバー１１の両側部に設けられている。
【００１９】
１６は充電端子であり、弾性を有する良導電性の長尺材である金属細線を曲折して形成したものである。この充電端子１６は接点部１７、支持部２０およびコイル部２３から構成されている。この接点部１７は、山状に折り曲げられて形成されたものであって、被充電機器１を凹部１２に挿入したときに充電板２と接触する部分であり、接触することにより被充電機器１の２次電池を充電することが可能になる。
【００２０】
支持部２０は、充電端子１６の一端に配置され、トップカバー１１に固定したときに接点部１７を斜め上方から吊り下げるように形成してある。この支持部２０は螺子孔が形成されており、トップカバー１１に設けられた固定部２２と螺子止め等で直接固定され、充電端子１６の動作支点となる。
コイル部２３は、接点部１７と支持部２０の間に配置され、コイル状に巻かれてバネを形成している。このバネの弾性により接点部１７を凹部１２の内側に突出する。また、被充電機器１を凹部１２に挿入したときはこの弾性により接点部１７と充電板２を充分な圧力で接触する。なお、このコイル部２３は、接点部１７と充電板２をより充分な圧力で接触させ、また、より充分な耐久性を得るためのものであるため、存在しない構成であってもよい。
【００２１】
２１は開口部であり、トップカバー１１の凹部１２に左右対称となるように設けられた窓孔であって、その上下方向の中心軸が被充電機器１を挿入および抜き取りする方向である傾斜に合うように形成されているものである。この開口部２１は、トップカバー１１とボトムカバー１４が組み合わせられたとき、その内部にある充電端子１６の接点部１７が凹部１２内に突出するように形成されている。
【００２２】
このように充電端子１６は固定部２２に螺子等で固定すると充電端子１６の動作支点である支持部２０は接点部１７に対して、凹部１２の被充電機器１を挿入する方向の挿入側に位置する。また、被充電機器１の挿入および抜き取り方向に合わせて後方に傾斜し、さらに、開口部２１から接点部１７が凹部１２へ突出する。
なお、この充電端子１６はトップカバー１１の固定部２２に左右対称に１つずつ螺子止め等され固定されている。
【００２３】
２４はケーブルであり、絶縁体で被覆された良導電性の導線である。このケーブル２４の一端はワッシャ状の圧着端子等が接続され固定部２２に充電端子１６と共に螺子等で固定され、他端には半田付け部１８が形成され、この半田付け部１８で回路基板１５の充電のための所定の端子と半田付けされ固定されている。なお、ケーブル２４は左右に１本ずつ配置されている。
【００２４】
充電端子１６が固定部２２に螺子止め等で固定されたトップカバー１１と回路基板１５が固定されたボトムカバー１４を図示しない螺子等で組み合わせて固定し、充電台３を構成している。
上述した構成の作用について説明する。
被充電機器１の充電板２が形成されている側の一部をトップカバー１１の凹部１２に挿入する。このとき、被充電機器１の充電板２と充電端子１６の接点部１７が接触し、さらに挿入を続けると充電端子１６は支持部２０を動作支点として図２に示す矢印Ｃ方向へとたわみ、コイル部２３の弾性力によって充分な接触力を保つことができる。これにより、被充電機器１に充電することができる。
【００２５】
また、被充電機器１を上方に引き抜くと、被充電機器１の充電板２と充電端子１６の接点部１７との電気的接続が絶たれて充電が終了する。このとき、接点部１７はコイル部２３の弾性力によりその位置を復帰する。
以上説明したように、第１の実施例では、充電端子１６は接点部１７より被充電機器１の挿入方向の手前である上方の支持部２０を動作支点としてたわむ吊り下げ構造となっているので、部品ばらつき、組み立てのばらつき等により接点部１７が凹部１２の内部の方向に傾いた場合でも充電端子１６が凹部１２の奥部に座屈することがないという効果が得られる。
【００２６】
充電端子１６がトップカバー１１に固定されるため、トップカバー１１とボトムカバー１４の組み立てのばらつきや部品自体の製造上のばらつきによって充電端子１６の位置のばらつきに影響する要素が減少し、被充電機器１の充電板２と充電端子１６の接点部１７の接続の信頼性が向上するという効果が得られる。
充電端子１６の接点部１７が突出する開口部２１の上下方向の中心軸と充電端子１６を固定する固定部２２の上下方向の中心軸が同一方向に傾斜しているため、充電端子１６は製造技術上の傾斜角度の管理が不要になり、不良品率が減少するという効果が得られる。
【００２７】
充電端子１６のコイル部２３を形成したことにより、充分なバネ圧、耐久性を確保した上で被充電機器１の充電板２および充電台３の小型化が可能になるという効果が得られる。
充電端子１６のコイル部２３の径または充電端子１６を形成する金属細線径を変更するだけで容易にバネ圧を容易に調整できるという効果が得られる。
【００２８】
図４は第２の実施例を示す平面図、図５は第２の実施例を示す図４のＡ−Ａ線要部断面図を含む正面図、図６は第２の実施例を示す図５のＢ−Ｂ線断面図である。
なお、上述した第１の実施例と同様の部分は、同一の符号を付してその説明を省略する。
４２は回路基板であり、各種電源から供給された電力を被充電機器１の２次電池に充電するための回路素子等で構成されているものである。この回路基板４２は図示しない螺子等でボトムカバー１４に固定され、充電台３の内部に収納保持される。また、回路基板４２は図示しないコネクタ部と電気的に接続されており、供給された電力を後述する充電端子を介して凹部１２に挿入された被充電機器１の２次電池に供給し充電する。
【００２９】
４３は充電端子であり、弾性を有する良導電性の長尺材である板金を曲折して形成したものである。この充電端子４３は一端が接点部４４、他端が基板接点部４５、その中間にある支持部４６から構成されている。この接点部４４は、Ｌ字状に折り曲げられて形成されたものであって、被充電機器１を凹部１２に挿入したときに充電板２と接触する部分であり、接触することにより被充電機器１の２次電池を充電することが可能になる。
【００３０】
基板接点部４５は、回路基板１５に設けられた、被充電機器１の２次電池を充電のための所定の端子と電気的に接続する部分である。この基板接点部４５は、トップカバー１１とボトムカバー１４を組み合わせて固定したときに回路基板４２の所定の端子と電気的に接続するように形成されている。なお、基板接点部４５と支持部４６の間にあって基板接点部４５の近傍に配置され、鈍角に折り曲げられたバネ部４７の弾性により基板接点部４５と回路基板４２が充分な接触力で電気的に接続されている。
【００３１】
支持部４６は、接点部４４と基板接点部４５の間に位置し、トップカバー１１に固定したときに接点部４４を斜め上方から吊り下げるように鋭角に折り曲げて形成してある。この支持部４６は螺子孔が形成されており、トップカバー１１に設けられた固定部２２と螺子止め等で直接固定され、充電端子４３の動作支点となる。
このように充電端子４３は固定部２２に螺子等で固定すると充電端子４３の動作支点である支持部４６は接点部４４に対して、凹部１２の被充電機器１を挿入する方向の挿入側に位置する。また、被充電機器１の挿入および抜き取り方向に合わせて傾斜し、さらに、開口部２１から接点部４４が凹部１２へ突出する。
【００３２】
なお、この充電端子４３はトップカバー１１の固定部２２に左右対称に１つずつ螺子止め等して固定されている。
充電端子４３が固定部２２に螺子止め等で固定されたトップカバー１１と回路基板４２が固定されたボトムカバー１４を図示しない螺子等で組み合わせて固定し、充電台３を構成している。
【００３３】
上述した構成の作用について説明する。
被充電機器１の充電板２が形成されている側の一部をトップカバー１１の凹部１２に挿入する。このとき、被充電機器１の充電板２と充電端子４３の接点部４４が接触し、さらに挿入を続けると充電端子４３は支持部４６を動作支点として図５に示す矢印Ｃ方向へとたわみ、その弾性力によって充分な接触力を保つことができる。これにより、被充電機器１に充電することができる。
【００３４】
また、被充電機器１を上方に引き抜くと、被充電機器１の充電板２と充電端子４３の接点部４４との電気的接続が絶たれて充電が終了する。このとき、接点部４４は充電端子４３自身の弾性力によりその位置を復帰する。
以上説明したように、第２の実施例では、充電端子４３は接点部４４より被充電機器１の挿入方向の手前である上方の支持部４６を動作支点としてたわむ吊り下げ構造となっているので、部品ばらつき、組み立てのばらつき等により接点部４４が凹部１２の内部の方向に傾いた場合でも充電端子４３が凹部１２の奥部に座屈することがないという効果が得られる。
【００３５】
充電端子４３がトップカバー１１に直接固定されるため、トップカバー１１とボトムカバー１４の組み立てのばらつきや部品自体の製造上のばらつきよって充電端子４３の位置のばらつきに影響する要素が減少し、被充電機器１の充電板２と充電端子４３の接点部４４の接続の信頼性が向上するという効果が得られる。
充電端子４３の接点部４４が突出する開口部２１の上下方向の中心軸と充電端子４３を固定する固定部２２の上下方向の中心軸が同一方向に傾斜しているため、充電端子４３は製造技術上の傾斜角度の管理が不要になり、不良品率が減少するという効果が得られる。
【００３６】
さらに、充電端子４３は板金で形成するためコイル部を持たない単純な形状でありながら弾性を確保でき、安価に作成できるという効果が得られる。
図７は第３の実施例を示す平面図、図８は第３の実施例を示す図７のＡ−Ａ線要部断面図を含む正面図、図９は第３の実施例を示す図８のＢ−Ｂ線断面図である。
なお、上述した第１の実施例および第２の実施例と同様の部分は、同一の符号を付してその説明を省略する。
【００３７】
５７はガイドリブであり、後述する充電端子を支持するようにトップカバー１１の内側に一体となって形成されているものである。このガイドリブ５７は、被充電機器１を凹部１２に挿入する軸と平行する中心軸を有し、この挿入する軸と平行する軸上であって後述する充電端子の接点部と挿入する被充電機器１の充電板２との間に形成されている。なお、このガイドリブ５７はトップカバー１１の内側に左右対称に配置されている。
【００３８】
５２は回路基板であり、各種電源から供給された電力を被充電機器１の２次電池に充電するための回路素子等で構成されているものである。この回路基板５２は図示しない螺子等でボトムカバー１４に固定され、充電台３の内部に収納保持される。また、回路基板５２は上述したコネクタ部と電気的に接続されており、供給された電力を後述する充電端子を介して凹部１２に挿入された被充電機器１の２次電池に供給し充電する。また、回路基板５２には、後述する充電端子を固定するための固定孔が両側部に設けられている。
【００３９】
５３は充電端子であり、弾性を有する良導電性の長尺材である板金を曲折して形成したものである。この充電端子５３は一端が接点部５４、他端が半田付け部５５、その中間にあるガイドリブ接点部５８および支持部５６から構成されている。この接点部５４は、Ｌ字状に折り曲げられて形成されたものであって、被充電機器１を凹部１２に挿入したときに充電板２と接触する部分であり、接触することにより被充電機器１の２次電池を充電することが可能になる。
【００４０】
半田付け部５５は、回路基板５２に設けられた固定孔に充電端子５３を差込み半田付けして固定する部分であり、充電端子５３を回路基板５２に半田付けすると回路基板５２の充電のための所定の端子と電気的に接続される。
ガイドリブ接点部５８は、接点部５４と半田付け部５５の中間に位置し、Ｌ字状に折り曲げられトップカバー１１に設けられたガイドリブ５７と接触するように形成されている。このガイドリブ接点部５８は、被充電機器１を凹部１２に挿入したとき接点部５４が凹部１２の中心部から外側に向けて作用する力を受け充電端子５３を支持し、充電端子５３の動作支点となる。
【００４１】
支持部５６は、ガイドリブ接点部５８と接点部５４の間に位置し、トップカバー１１に固定したときに接点部５４を斜め上方から吊り下げるように鈍角に折り曲げて形成してある。なお、被充電機器１を円滑に挿入および抜き取ることができるようにこの支持部５６は、トップカバー１１とボトムカバー１４を組み合わせて固定したときにトップカバー１１の外側にならないように形成されていることが望ましい。
【００４２】
また、凹部１２は被充電機器１を充電台３へ挿入および抜き取りする操作性を向上させるため鉛直軸に対して後方に傾斜しているが、その傾斜に合うように半田付け部５５で傾斜し、ガイドリブ接点部５８、支持部５６および接点部５４は直線をなすように充電端子５３は形成されて回路基板５２に固定されている。
このように充電端子５３は半田付け部５５で固定されると充電端子５３の動作支点であるガイドリブ接点部５８は接点部５４に対して、凹部１２の被充電機器１を挿入する挿入側に位置する。また、被充電機器１の挿入および抜き取り方向に合わせて傾斜し、さらに、開口部２１から接点部５４が凹部１２へ突出する。
【００４３】
なお、この充電端子５３は回路基板５２に左右対称に１つずつ固定されて配置されている。
上述した構成の作用について説明する。
被充電機器１の充電板２が形成されている側の一部をトップカバー１１の凹部１２に挿入する。このとき、被充電機器１の充電板２と充電端子５３の接点部５４が接触し、さらに挿入を続けると充電端子５３はガイドリブ接点部５８を動作支点として図８に示す矢印Ｃ方向へとたわみ、そのバネ力によって充分な接触力を保つことができる。これにより、被充電機器１に充電することができる。
【００４４】
また、被充電機器１を上方に引き抜くと、被充電機器１の充電板２と充電端子５３の接点部５４との電気的接続が絶たれて充電が終了する。このとき、接点部５４は充電端子５３自身の弾性力によりその位置を復帰する。
以上説明したように、第３の実施例では、充電端子５３は板金で形成するため加工性がよく、半田付け部５５の形状を半田付け作業が容易に行なえるような形状に加工することができるので回路基板５２に取付ける位置を安定させることができ取付けによるばらつきを少なくできるという効果が得られる。また、充電端子５３の接点部５４から半田付け部５５までを被充電機器１の挿入及び抜き取り方向に合わせて精度よく後方に傾斜させる加工ができるため不良品率を低減することができるという効果が得られる。
【００４５】
さらに、充電端子５３は板金で形成するためコイル部を持たない単純な形状でありながら弾性を確保でき、安価に作成できるという効果が得られる。
またさらに、充電端子５３は接点部５４より被充電機器１の挿入方向の手前である上方のガイドリブ接点部５８を動作支点としてたわむ吊り下げ構造となっているので、部品のばらつき、組み立てのばらつき等により接点部５４が凹部１２の中心部の方向に傾いた場合でも充電端子５３が凹部１２の奥部に座屈することがないという効果が得られる。
【図面の簡単な説明】
【００４６】
【図１】第１の実施例を示す平面図
【図２】第１の実施例を示す図１のＡ−Ａ線要部断面図を含む正面図
【図３】第１の実施例を示す図２のＢ−Ｂ線断面図
【図４】第２の実施例を示す平面図
【図５】第２の実施例を示す図４のＡ−Ａ線要部断面図を含む正面図
【図６】第２の実施例を示す図５のＢ−Ｂ線断面図
【図７】第３の実施例を示す平面図
【図８】第３の実施例を示す図７のＡ−Ａ線要部断面図を含む正面図
【図９】第３の実施例を示す図８のＢ−Ｂ線断面図
【図１０】従来技術を示す平面図
【図１１】従来技術を示す図１０のＡ−Ａ線要部断面図を含む正面図
【図１２】従来技術を示す図１１のＢ−Ｂ線断面図
【符号の説明】
【００４７】
１    被充電機器
２    充電板
３    充電台
１１  トップカバー
１２  凹部
１４  ボトムカバー
１５、４２、５２  回路基板
１６、４３、５３  充電端子
１７、４４、５４  接点部
１８、５５  半田付け部
２０、４６、５６  支持部
２１  開口部
２２  固定部
２３  コイル部
２４  ケーブル
４５  基板接点部
４７  バネ部
５７  ガイドリブ
５８  ガイドリブ接点部
【図１】
2006107931.tif 000003
【図２】
2006107931.tif 000004
【図３】
2006107931.tif 000005
【図４】
2006107931.tif 000006
【図５】
2006107931.tif 000007
【図６】
2006107931.tif 000008
【図７】
2006107931.tif 000009
【図８】
2006107931.tif 000010
【図９】
2006107931.tif 000011
【図１０】
2006107931.tif 000012
【図１１】
2006107931.tif 000013
【図１２】
2006107931.tif 000014